(57)【要約】【課題】送信する信号の種類に応じて送信電力制御を行うことを図る。【解決手段】ＴＰＣコマンド生成部５０４は、送信電力を制御する対象である複数の種類の信号と、送信電力制御値を示す情報を送信する複数の送信方法との対応付けに従って、ＴＰＣコマンドを生成する。ＤＣＩフォーマット生成部５０５は、ＴＰＣコマンド生成部５０４から入力されたＴＰＣコマンドを含むＤＣＩを生成する。ＴＰＣコマンドを含むＤＣＩは、移動局へ送信される。【選択図】図１
2014027412.tif 000002
【特許請求の範囲】
【請求項１】
送信電力を制御する対象である複数の種類の信号と、送信電力制御値を示す情報を送信する複数の送信方法とを対応付けたことを特徴とする送信電力制御装置。
【請求項２】
移動局装置に対して送信電力制御値を示す情報を送信する基地局装置において、
送信電力を制御する対象である複数の種類の信号と、送信電力制御値を示す情報を送信する複数の送信方法とを対応付けたことを特徴とする基地局装置。
【請求項３】
基地局装置から送信電力制御値を示す情報を受信する移動局装置において、
送信電力を制御する対象である複数の種類の信号と、送信電力制御値を示す情報を送信する複数の送信方法とを対応付けたことを特徴とする移動局装置。
【請求項４】
送信電力を制御する対象である複数の種類の信号と、送信電力制御値を示す情報を送信する複数の送信方法とを対応付けるステップを含むことを特徴とする送信電力制御方法。
【請求項５】
コンピュータに、
送信電力を制御する対象である複数の種類の信号と、送信電力制御値を示す情報を送信する複数の送信方法とを対応付けるステップを実行させるためのコンピュータプログラム。
【発明の詳細な説明】
【技術分野】
【０００１】
本発明は、送信電力制御装置、基地局装置、移動局装置、送信電力制御方法およびコンピュータプログラムに関する。
【背景技術】
【０００２】
従来、３ＧＰＰ（Ｔｈｉｒｄ  Ｇｅｎｅｒａｔｉｏｎ  Ｐａｒｔｎｅｒｓｈｉｐ  Ｐｒｏｊｅｃｔ）で検討されている標準規格の１つとしてＬＴＥ（Ｌｏｎｇ  Ｔｅｒｍ  Ｅｖｏｌｕｔｉｏｎ）が知られている。ＬＴＥは順次改訂されている。ＬＴＥでは、セルエッジでのスループットを向上させる一方法として、ヘテロジーニアスネットワーク（ＨｅｔＮｅｔ：Ｈｅｔｅｒｏｇｅｎｅｏｕｓ  Ｎｅｔｗｏｒｋ）の仕様化が検討されている。ＨｅｔＮｅｔは、広いカバレッジを持つマクロ基地局の通信エリア内に、それよりも狭いカバレッジを持つピコ基地局を１つ以上配置するものである。さらに、ＬＴＥでは、ＨｅｔＮｅｔにおいて、マクロ基地局とピコ基地局を大容量かつ低遅延の通信ネットワークで接続し、基地局間連携を行うＣｏＭＰ（Ｃｏｏｐｅｒａｔｉｖｅ Ｍｕｌｔｉｐｌｅ Ｐｏｉｎｔ）技術の仕様化が検討されている。
【０００３】
図８は、ＨｅｔＮｅｔを適用した移動無線通信システムの一例を示す概略構成図である。図８において移動無線通信システムは、マクロ基地局（ｅＮＢ、基地局装置）１０１と、ピコ基地局（ｅＮＢ、基地局装置）１１１と、移動局（ＵＥ、移動局装置）１２１を備える。ここでマクロ基地局１０１とピコ基地局１１１は大容量かつ低遅延の通信ネットワークで接続されており、ＣｏＭＰ通信が可能である。また、図８には、マクロ基地局１０１の通信エリア２０１と、ピコ基地局１１１の通信エリア２１１を示してある。
【０００４】
図８の例では、マクロ基地局１０１の通信エリア２０１の内に、１個のピコ基地局１１１が備えられており、このピコ基地局１１１の通信エリア２１１が含まれている。また、図８の例では、マクロ基地局１０１の通信エリア２０１及びピコ基地局１１１の通信エリア２１１の境界付近にひとつの移動局１２１が存在している。移動局１２１は、マクロ基地局１０１をサービングセルとして接続し、下り（基地局から移動局へ向かう方向）リンク信号３０１をマクロ基地局１０１から受信する。一方、移動局１２１の上り（移動局から基地局へ向かう方向）リンクではＣｏＭＰ通信を実施し、移動局１２１が送信する上りリンク信号４０１，４０２をマクロ基地局１０１及びピコ基地局１１１の両方で受信することが可能である。
【０００５】
また、上りリンクのＣｏＭＰ通信では、上りリンク信号の種類に応じて受信基地局を切り替えることが３ＧＰＰで提案されている。例えば非特許文献１や非特許文献２では、上りリンク制御信号のうち、送達確認信号（ＡＣＫ／ＮＡＣＫ）とその他の制御信号（例えばＣＱＩ（Ｃｈａｎｎｅｌ Ｑｕａｌｉｔｙ Ｉｎｆｏｒｍａｔｉｏｎ））とで受信地点を切り替えることを提案している。
【０００６】
ＬＴＥでは、上りリンク制御チャネル（ＰＵＣＣＨ：Ｐｈｙｓｉｃａｌ Ｕｐｌｉｎｋ Ｃｏｎｔｒｏｌ Ｃｈａｎｎｅｌ）に関して、以下の二つの事項（ＰＵＣＣＨの系列に関する事項、送信電力制御に関する事項）が規定されている。
【０００７】
（１）ＰＵＣＣＨの系列
ＰＵＣＣＨは、疑似ＣＡＺＡＣ（Ｃｏｎｓｔａｎｔ Ａｎｐｌｉｔｕｄｅ  ａｎｄ  Ｚｅｒｏ−Ａｕｔｏｃｏｒｒｅｌａｔｉｏｎ）系列を利用して情報ビットを送信する。その疑似ＣＡＺＡＣ系列は、通常、物理セルＩＤを種として生成される。但し、移動局ごとに指定されるＩＤ（バーチャルセルＩＤ）を利用して疑似ＣＡＺＡＣ系列を生成することも可能である。同一ＰＵＣＣＨの系列間の完全直交は、ＰＵＣＣＨの系列の時間シフト（サイクリックシフト）により実現される。これにより、基地局内で複数のＰＵＣＣＨ信号が多重される。一方、異なるＰＵＣＣＨの系列間は白色化されるように設計される。従って、ＰＵＣＣＨの受信地点（受信基地局）は、ＰＵＣＣＨ系列を生成するＩＤに対応する。
【０００８】
（２）送信電力制御
ＬＴＥにおいて、上りリンク制御信号の送信電力値ＰＰＵＣＣＨ（ｉ）は式（１）で与えられる。
【０００９】
【数１】
2014027412.tif 000003
【００１０】
但し、ｉはサブフレーム番号、ＰＣＭＡＸ，Ｃ（ｉ）は最大送信電力、Ｐ０＿ＰＵＣＣＨはターゲット受信電力である。ＰＬｃは、移動局で推定した上りリンクのパスロス値である。ｈ（）は、ＰＵＣＣＨで送信する情報ビット数に応じた補正項である。ΔＦ＿ＰＵＣＣＨ（Ｆ）は、ＰＵＣＣＨフォーマットＦに応じた補正項である。ΔＴｘＤ（Ｆ’）は、送信ダイバーシチを利用した場合の補正項である。ｇ（ｉ）は、ＴＰＣ（Ｔｒａｎｓｍｉｔ  Ｐｏｗｅｒ Ｃｏｎｔｒｏｌ）コマンドを用いた閉ループ制御による送信電力の補正項である。
【００１１】
なお、ＰＵＣＣＨフォーマットとは、ＰＵＣＣＨの送信方式であり、送信する情報やビット数に応じて異なる送信方式が定義されている。また、ＰＬｃはサービングセルから送信される下り参照信号を利用して推定されるものであるため、下りリンクの送信地点と異なる基地局を上りリンクの受信地点とする場合には、ＰＬｃによるパスロス補償が動作しない。この場合は、基地局がＰＵＣＣＨの受信電力を計測し、受信電力の目標値（例えばＰ０＿ＰＵＣＣＨ）とのずれを補償するためにＴＰＣコマンドを利用してｇ（ｉ）を変更する。
【００１２】
また、ＬＴＥではＴＰＣコマンドの送信方法として２種類がある。ＴＰＣコマンドの一つの送信方法は、下りリンクデータ信号の割当（ＤＬ−Ａｓｓｉｇｎｍｅｎｔ）を通知するＤＣＩ（Ｄｏｗｎｌｉｎｋ Ｃｏｎｔｒｏｌ  Ｉｎｆｏｒｍａｔｉｏｎ）を用いて、移動局にＴＰＣコマンドを通知するものである。具体的には、ＤＣＩのペイロードの中に、ＴＰＣコマンドに使用される２ビットが存在している。このＴＰＣコマンド用の２ビットにより、送信電力を「−１、０、＋１、＋３」ｄＢ増減することを指示することができる。
【００１３】
なお、ＤＬ−Ａｓｓｉｇｎｍｅｎｔは、ＤＣＩフォーマットとして定義され、ＬＴＥではＤＣＩフォーマット１Ａ／１Ｂ／１Ｄ／１／２Ａ／２／２Ｂ／２Ｃが該当する。
【００１４】
ＴＰＣコマンドのもう一つの送信方法は、ＤＣＩのうち、ＤＣＩフォーマット３／３Ａを利用して、移動局にＴＰＣコマンドを通知するものである。ＤＣＩフォーマット３／３Ａは、下りリンクデータ信号の割当を通知せず、１ビットもしくは２ビットでＴＰＣコマンドを通知する。具体的には、ＤＣＩフォーマット３Ａにおいては、１ビットで通知されるＴＰＣコマンドにより、送信電力を「−１、＋１」ｄＢ増減することを指示することができる。また、ＤＣＩフォーマット３においては、２ビットで通知されるＴＰＣコマンドにより、送信電力を「−１、０、＋１、＋３」ｄＢ増減することを指示することができる。
【００１５】
また、一つのＤＣＩフォーマット３／３Ａにより、複数の移動局に対するＴＰＣコマンドを送信することができる。この仕組みを説明する。まず各移動局にはそれぞれ一つのＴＰＣ−ＰＵＣＣＨ−ＲＮＴＩとＴＰＣ−ｉｎｄｅｘがＲＲＣシグナリングによって与えられる。ＲＮＴＩ（Radio Network Temporary ID）にはいくつかの種類があるが、ＴＰＣ−ＰＵＣＣＨ−ＲＮＴＩはその中の一つの種類である。ＤＣＩフォーマット３／３Ａにおいては、ＣＲＣ（Ｃｙｃｌｉｃ Ｒｅｄｕｎｄａｎｃｙ Ｃｈｅｃｋ）が付与されて送信されるが、ＣＲＣにはＲＮＴＩによる排他的論理演算（以後、この処理をマスクと呼称する）が施される。これにより、移動局は自分に与えられたＴＰＣ−ＰＵＣＣＨ−ＲＮＴＩと同じ値がＣＲＣのマスクに使用されたＤＣＩフォーマット３／３Ａのみ復調できる。この復調後のＤＣＩフォーマット３／３Ａには複数の移動局に対するＴＰＣコマンドが含まれており、移動局は自分に与えられたＴＰＣ−Ｉｎｄｅｘを利用して、その中から自局宛てのＴＰＣコマンドを取得できる。
【００１６】
なお、ＴＰＣコマンドによる電力制御値はその値がリセットされるまで移動局で累積することが可能である。
【先行技術文献】
【非特許文献】
【００１７】
【非特許文献１】R1-122418  UL CoMP enhancement for PUCCH  Nokia Siemens Networks, Nokia, 3GPP RAN WG1, May, 2012
【非特許文献２】R1-122488  Some Remaining Aspects of PUCCH Enhancement for UL CoMP  Alcatel-Lucent Shanghai Bell, Alcatel-Lucent, 3GPP RAN WG1, May, 2012
【発明の概要】
【発明が解決しようとする課題】
【００１８】
しかし、上述した従来の送信電力制御方法では、上りリンク信号の種類に応じて受信基地局を切り替える場合に、不都合が生じる。具体的には、式（１）において、ＴＰＣコマンドを用いた閉ループ制御による送信電力の補正項ｇ（ｉ）はＰＵＣＣＨフォーマットや送信する信号の種類によらず共通であるため、複数の受信基地局に合わせた送信電力制御を実現できない。
【００１９】
また、ＴＰＣコマンドを送信するＤＣＩは、１種類のＴＰＣコマンドを送信する構成となっており、ＰＵＣＣＨフォーマットや送信する信号の種類に応じて複数のＴＰＣコマンドを送信することはできない。
【００２０】
本発明は、このような事情を考慮してなされたもので、送信する信号の種類に応じて送信電力制御を行うことができる送信電力制御装置、基地局装置、移動局装置、送信電力制御方法およびコンピュータプログラムを提供することを課題とする。
【課題を解決するための手段】
【００２１】
上記の課題を解決するために、本発明に係る送信電力制御装置は、送信電力を制御する対象である複数の種類の信号と、送信電力制御値を示す情報を送信する複数の送信方法とを対応付けたことを特徴とする。
【００２２】
本発明に係る基地局装置は、移動局装置に対して送信電力制御値を示す情報を送信する基地局装置において、送信電力を制御する対象である複数の種類の信号と、送信電力制御値を示す情報を送信する複数の送信方法とを対応付けたことを特徴とする。
【００２３】
本発明に係る移動局装置は、基地局装置から送信電力制御値を示す情報を受信する移動局装置において、送信電力を制御する対象である複数の種類の信号と、送信電力制御値を示す情報を送信する複数の送信方法とを対応付けたことを特徴とする。
【００２４】
本発明に係る送信電力制御方法は、送信電力を制御する対象である複数の種類の信号と、送信電力制御値を示す情報を送信する複数の送信方法とを対応付けるステップを含むことを特徴とする。
【００２５】
本発明に係るコンピュータプログラムは、コンピュータに、送信電力を制御する対象である複数の種類の信号と、送信電力制御値を示す情報を送信する複数の送信方法とを対応付けるステップを実行させるためのコンピュータプログラムであることを特徴とする。
【発明の効果】
【００２６】
本発明によれば、送信する信号の種類に応じて、送信電力制御値を示す情報を送信することができる。これにより、送信する信号の種類に応じて送信電力制御を行うことができるという効果が得られる。例えば、上りリンク制御信号の種類に応じて受信基地局を変更する場合に、それぞれの基地局に適した受信電力を実現することに寄与できる。
【図面の簡単な説明】
【００２７】
【図１】本発明の一実施形態に係る基地局装置（基地局）１の概略構成を示すブロック図である。
【図２】本発明の一実施形態に係る移動局装置（移動局）２の概略構成を示すブロック図である。
【図３】本発明の実施例１に係る送信電力制御方法を示すシーケンスチャートである。
【図４】本発明の実施例１に係る送信電力制御方法を示すシーケンスチャートである。
【図５】本発明の実施例１に係る送信電力制御方法を示すシーケンスチャートである。
【図６】本発明の実施例３に係る送信電力制御方法を示すシーケンスチャートである。
【図７】本発明の実施例３に係る送信電力制御方法を示すシーケンスチャートである。
【図８】ＨｅｔＮｅｔを適用した移動無線通信システムの一例を示す概略構成図である。
【発明を実施するための形態】
【００２８】
以下、図面を参照し、本発明の実施形態について説明する。本実施形態では、本発明に係る無線通信システムの一例として、ＬＴＥを適用した無線通信システムを挙げて説明する。
【００２９】
本実施形態では、図８に例示されるようなＨｅｔＮｅｔ及びＣｏＭＰを適用した移動無線通信システムを想定する。また、本実施形態では、移動局（ＵＥ）から基地局（ｅＮＢ）への信号を送信する上りリンクを想定する。さらに、アクセススキームとして、周波数領域での割り当てを実施するＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）もしくはＳＣ−ＦＤＭＡ（Ｓｉｎｇｌｅ  Ｃａｒｒｉｅｒ  −  Ｆｒｅｑｕｅｎｃｙ  Ｄｉｖｉｓｉｏｎ  Ｍｕｌｔｉｐｌｅ  Ａｃｃｅｓｓ）を想定する。
【００３０】
図１は、本発明の一実施形態に係る基地局装置（基地局）１の概略構成を示すブロック図である。この図１に示す基地局１は、図８におけるマクロ基地局に対応し、ピコ基地局と接続されている。
【００３１】
図１において、基地局１は、無線受信部５００、データ復調部５０１、ＰＵＣＣＨ受信電力測定部５０２、受信電力差分計算部５０３、ＴＰＣコマンド生成部５０４、ＤＣＩフォーマット生成部５０５、信号多重部５０６、無線送信部５０７、及びマクロ基地局アンテナ５０８を備える。基地局１には、図８におけるピコ基地局から、ピコ基地局アンテナで受信された信号が入力される。
【００３２】
移動局から無線送信された上りリンク信号は、マクロ基地局アンテナ５０８又はピコ基地局アンテナで受信されて、無線受信部５００に入力される。無線受信部５００は、入力された受信信号に対してダウンコンバート及びＦＦＴ（Ｆａｓｔ  Ｆｏｕｒｉｅｒ  Ｔｒａｎｓｆｏｒｍ）処理などを行い、受信した上りリンク信号をデータ復調部５０１及びＰＵＣＣＨ受信電力測定部５０２に出力する。
【００３３】
データ復調部は、上りリンク信号を復調して上位レイヤへ出力する。
【００３４】
ＰＵＣＣＨ受信電力測定部５０２は、上りリンク信号のうちＰＵＣＣＨ信号を用いて、受信電力を測定する。この受信電力の測定は、ＰＵＣＣＨ信号の種類ごと、又は、ＰＵＣＣＨ信号の複数の種類ごとに行われる。
【００３５】
ＰＵＣＣＨには以下に示されるような複数のフォーマット（Ａ−１〜５）があり、それぞれのＰＵＣＣＨフォーマットで以下のような情報が送信される。
（Ａ−１）Ｆｏｒｍａｔ１：スケジューリングリクエスト（ＳＲ）
（Ａ−２）ダイナミックＦｏｒｍａｔ１ａ／１ｂ：リソース割り当てが動的に変化するＡＣＫ／ＮＡＣＫ
（Ａ−３）セミスタティックＦｏｒｍａｔ１ａ／１ｂ：リソース割り当てがＲＲＣシグナリングで指定され、準固定となるＡＣＫ／ＮＡＣＫ
（Ａ−４）Ｆｏｒｍａｔ２：ＣＱＩ
（Ａ−５）Ｆｏｒｍａｔ３：５ビット以上のＡＣＫ／ＮＡＣＫ
【００３６】
本実施形態では、ＰＵＣＣＨ受信電力測定部５０２はＰＵＣＣＨフォーマットのグループに対応する複数のブロックから構成される。例えば、セミスタティックＦｏｒｍａｔ１ａ／１ｂ（Ａ−３）とダイナミックＦｏｒｍａｔ１ａ／１ｂ（Ａ−２）とＦｏｒｍａｔ３（Ａ−５）を一つのグループ（ＰＵＣＣＨフォーマットグループＧ１）とし、それ以外のフォーマット（Ａ−１，Ａ−４）で一つのグループ（ＰＵＣＣＨフォーマットグループＧ２）とする。この場合、２つのＰＵＣＣＨフォーマットグループＧ１，Ｇ２が生成されるため、ＰＵＣＣＨ受信電力測定部５０２を２つのブロックから構成する。そして、ＰＵＣＣＨ受信電力測定部５０２の一方のブロックがＰＵＣＣＨフォーマットグループＧ１に属するＰＵＣＣＨフォーマットの受信電力を測定し、もう一方のブロックがＰＵＣＣＨフォーマットグループＧ２に属するＰＵＣＣＨフォーマットの受信電力を測定する。
【００３７】
各ＰＵＣＣＨフォーマットグループは受信基地局が異なるとする。例えば、ＰＵＣＣＨフォーマットグループＧ１は、マクロ基地局で受信されるものであり、移動局がマクロ基地局に対応したバーチャルセルＩＤ（Ｖ１）により当該ＰＵＣＣＨ系列を生成する。一方、ＰＵＣＣＨフォーマットグループＧ２は、ピコ基地局で受信されるものであり、移動局がピコ基地局に対応したバーチャルセルＩＤ（Ｖ２）によりＰＵＣＣＨ系列を生成する。なお、受信基地局がサービングセルと一致する場合には、バーチャルセルＩＤを利用せずに、サービングセルの物理セルＩＤを利用してもよい。
【００３８】
ＰＵＣＣＨ受信電力測定部５０２が測定した各ＰＵＣＣＨフォーマットグループの受信電力測定値は、各ＰＵＣＣＨフォーマットグループに対応して設けられる受信電力差分計算部５０３へ出力される。
【００３９】
受信電力差分計算部５０３は、受信基地局における所望の受信電力値と、ＰＵＣＣＨ受信電力測定部５０２から入力された受信電力測定値との差分値Ｘｎを算出する。但し、ｎはＰＵＣＣＨフォーマットグループを示すインデックスである。受信基地局における所望の受信電力値とは、例えば、式（１）に定義されるＰＯ＿ＰＵＣＣＨである。受信電力差分計算部５０３で算出された各ＰＵＣＣＨフォーマットグループの差分値Ｘｎは、各ＰＵＣＣＨフォーマットグループに対応して設けられるＴＰＣコマンド生成部５０４に出力される。
【００４０】
ＴＰＣコマンド生成部５０４は、各ＰＵＣＣＨフォーマットグループの差分値Ｘｎに基づいて、ＰＵＣＣＨフォーマットグループごとにＴＰＣコマンドを生成する。ＴＰＣコマンド生成部５０４で生成されたＴＰＣコマンドは、ＤＣＩフォーマット生成部５０５に出力される。ＤＣＩフォーマット生成部５０５は、ＴＰＣコマンド生成部５０４から入力されたＴＰＣコマンドを含むＤＣＩを生成する。
【００４１】
ＤＣＩフォーマット生成部５０５の出力は信号多重部５０６に入力され、下り送信データなどの信号と多重される。この多重後の信号は、無線送信部５０７に入力され、ＯＦＤＭ信号としてマクロ基地局アンテナ５０８から無線送信される。
【００４２】
図２は、本発明の一実施形態に係る移動局装置（移動局）２の概略構成を示すブロック図である。図２において、移動局２は、無線受信部６００、ＤＣＩ受信部６０１、データ復調部６０２、ＴＰＣコマンド取得部６０３、送信電力調整部６０４、送信電力適用部６０５、ＰＵＣＣＨ系列生成部６０６、無線送信部６０７、及びアンテナ６０８を備える。
【００４３】
マクロ基地局アンテナ５０８から無線送信された下りリンク信号は、移動局２のアンテナ６０８で受信される。無線受信部６００にはアンテナ６０８で受信された信号が入力される。無線受信部６００は、入力された受信信号に対してダウンコンバート及びＦＦＴ（Ｆａｓｔ  Ｆｏｕｒｉｅｒ  Ｔｒａｎｓｆｏｒｍ）処理などを行い、受信した下りリンク信号をＤＣＩ受信部６０１及びデータ復調部６０２に出力する。
【００４４】
データ復調部６０２は、下りリンク信号を復調して上位レイヤへ出力する。
【００４５】
ＤＣＩ受信部６０１は、入力された下りリンク信号から、自局に割り当てられたＤＣＩのうちＴＰＣコマンドを含むＤＣＩを取得する。ＤＣＩ受信部６０１は、その取得したＤＣＩをＴＰＣコマンド取得部６０３へ出力する。
【００４６】
ＴＰＣコマンド取得部６０３は、入力されたＤＣＩからＴＰＣコマンドを取得する。ＴＰＣコマンド取得部６０３は、その取得したＴＰＣコマンドに基づいて、ＰＵＣＣＨフォーマットグループごとに送信電力制御情報を送信電力調整部６０４へ出力する。
【００４７】
送信電力調整部６０４は、各ＰＵＣＣＨフォーマットグループに対応したブロックから構成される。送信電力調整部６０４は、ＴＰＣコマンド取得部６０３から入力されたＰＵＣＣＨフォーマットグループごとの送信電力制御情報に基づいて、ＰＵＣＣＨフォーマットごとの送信電力値を決定する。ＰＵＣＣＨフォーマットごとの送信電力値は送信電力適用部６０５に出力される。
【００４８】
ここで、ＰＵＣＣＨフォーマットごとの送信電力値を決定する方法を説明する。ＴＰＣコマンド取得部６０３から送信電力調整部６０４に入力される送信電力制御情報は、ＰＵＣＣＨフォーマット情報と送信電力制御値を有する。ＰＵＣＣＨフォーマット情報は、ＰＵＣＣＨフォーマットを示す情報である。送信電力調整部６０４は、ＰＵＣＣＨフォーマット情報と送信電力制御値に基づいて、ＰＵＣＣＨフォーマットごとの送信電力値を決定する。
【００４９】
送信電力調整部６０４は、ＰＵＣＣＨフォーマットごとに、式（２）に示されるｇ（Ｆ”，ｉ）を算出する。式（２）では、今回の送信電力制御値を過去の送信電力制御値の累積値に加算している。
【００５０】
【数２】
2014027412.tif 000004
【００５１】
但し、ｉはサブフレーム番号である。ｇ（Ｆ”，ｉ）はＰＵＣＣＨフォーマットＦ”に応じた送信電力の補正項である。δＰＵＣＣＨ（Ｆ”，ｉ）は、ｉ番サブフレームのＴＰＣコマンドによる、当該ＴＰＣコマンドのＰＵＣＣＨフォーマットグループに属するＰＵＣＣＨフォーマットＦに対する送信電力制御値である。
【００５２】
送信電力調整部６０４は、式（２）により算出したｇ（Ｆ”，ｉ）を式（３）に適用して、ＰＵＣＣＨフォーマットＦの送信電力値ＰＰＵＣＣＨ（ｉ）を算出する。式（３）は、式（１）に対して、ＴＰＣコマンドを用いた閉ループ制御による送信電力の補正項「ｇ（ｉ）」を、ＰＵＣＣＨフォーマットＦ”に応じた「ｇ（Ｆ”，ｉ）」に変更している。
【００５３】
【数３】
2014027412.tif 000005
【００５４】
送信電力適用部６０５は、送信電力調整部６０４から入力されたＰＵＣＣＨフォーマットごとの送信電力値を、上り送信データに適用する。ＰＵＣＣＨ系列生成部６０６は、送信電力適用部６０５から出力された上り送信データに対してＰＵＣＣＨ系列を生成する。この生成されたＰＵＣＣＨ系列は、無線送信部６０７により、時間信号への変換およびアップコンバート等の処理が行われた後に、アンテナ６０８から無線送信される。
【００５５】
次に、本実施形態に係る送信電力制御方法について、以下に実施例を挙げて説明する。
【実施例１】
【００５６】
実施例１では、基地局１から移動局２へＴＰＣコマンドを送信する方法として二通りの送信方法を使用する。第１の送信方法は、下りリンクデータ信号の割当（ＤＬ−Ａｓｓｉｇｎｍｅｎｔ）を通知するＤＣＩを利用する。第２の送信方法は、ＤＣＩフォーマット３／３Ａを利用する。ＤＣＩフォーマット３／３Ａは、下りリンクデータ信号の割当を通知しないものである。
【００５７】
第１の送信方法では、ＤＬ−Ａｓｓｉｇｎｍｅｎｔを通知するＤＣＩ（以下、ＤＬ−Ａｓｓｉｇｎｍｅｎｔ＿ＤＣＩと称する）により、一つのＰＵＣＣＨフォーマットグループのＴＰＣコマンドを送信する。ＤＬ−Ａｓｓｉｇｎｍｅｎｔ＿ＤＣＩは、ＴＰＣコマンドに使用される２ビットを有するので、このＴＰＣコマンド用の２ビットにより、一つのＰＵＣＣＨフォーマットグループに属するＰＵＣＣＨフォーマットに係る送信電力を「−１、０、＋１、＋３」ｄＢ増減することを指示することができる。
【００５８】
移動局２は、ＤＬ−Ａｓｓｉｇｎｍｅｎｔ＿ＤＣＩのＴＰＣコマンドに基づいて、当該ＴＰＣコマンドに対応するＰＵＣＣＨフォーマットグループの送信電力制御値を決定する。例えば、ＴＰＣコマンドの２ビットで表される送信電力制御値「−１、０、＋１、＋３」ｄＢの中から、ＴＰＣコマンドのビット値に対応する送信電力制御値に決定する。移動局２は、その決定した送信電力制御値と、当該ＰＵＣＣＨフォーマットグループに属するＰＵＣＣＨフォーマットを示すＰＵＣＣＨフォーマット情報とを有する送信電力制御情報を生成する。
【００５９】
第２の送信方法では、ＤＣＩフォーマット３／３Ａにより、複数のＰＵＣＣＨフォーマットグループに係るＴＰＣコマンドを送信する。本実施例１では、ＤＣＩフォーマット３／３Ａに係るＣＲＣのマスクに使用される値をＰＵＣＣＨフォーマットグループごとに設けることにより、各ＰＵＣＣＨフォーマットグループに対応するＤＣＩフォーマット３／３Ａを構成する。このため、各移動局２には、それぞれのＴＰＣ−ＰＵＣＣＨ−ＲＮＴＩとして、各ＰＵＣＣＨフォーマットグループに対応するＤＣＩフォーマット３／３ＡのＣＲＣのマスクに使用されるＰＵＣＣＨフォーマットグループ数分のＴＰＣ−ＰＵＣＣＨ−ＲＮＴＩが与えられる。これにより、移動局２は、自分に与えられたＴＰＣ−ＰＵＣＣＨ−ＲＮＴＩのうち、いずれか同じ値がＣＲＣのマスクに使用されたＤＣＩフォーマット３／３Ａのみ復調できる。移動局２は、復調できたＤＣＩフォーマット３／３ＡのＴＰＣコマンドを、該復調に使用したＴＰＣ−ＰＵＣＣＨ−ＲＮＴＩに対応するＰＵＣＣＨフォーマットグループに使用する。
【００６０】
ＤＣＩフォーマット３Ａは１ビットでＴＰＣコマンドを通知するので、このＴＰＣコマンド用の１ビットにより、当該ＤＣＩフォーマット３Ａの復調に使用したＴＰＣ−ＰＵＣＣＨ−ＲＮＴＩに対応するＰＵＣＣＨフォーマットグループに属するＰＵＣＣＨフォーマットに係る送信電力を「−１、＋１」ｄＢ増減することを指示することができる。また、ＤＣＩフォーマット３は２ビットでＴＰＣコマンドを通知するので、このＴＰＣコマンド用の１ビットにより、当該ＤＣＩフォーマット３の復調に使用したＴＰＣ−ＰＵＣＣＨ−ＲＮＴＩに対応するＰＵＣＣＨフォーマットグループに属するＰＵＣＣＨフォーマットに係る送信電力を「−１、０、＋１、＋３」ｄＢ増減することを指示することができる。
【００６１】
移動局２は、ＤＣＩフォーマット３／３ＡのＴＰＣコマンドに基づいて、当該ＴＰＣコマンドに対応するＰＵＣＣＨフォーマットグループの送信電力制御値を決定する。例えば、ＤＣＩフォーマット３Ａの場合には、ＴＰＣコマンドの１ビットで表される送信電力制御値「−１、＋１」ｄＢの中から、ＴＰＣコマンドのビット値に対応する送信電力制御値に決定する。移動局２は、その決定した送信電力制御値と、当該ＰＵＣＣＨフォーマットグループに属するＰＵＣＣＨフォーマットを示すＰＵＣＣＨフォーマット情報とを有する送信電力制御情報を生成する。
【００６２】
次に、図３、図４及び図５を参照して実施例１に係る送信電力制御方法を説明する。図３、図４及び図５は、本発明の実施例１に係る送信電力制御方法を示すシーケンスチャートである。
【００６３】
ここでは、説明の便宜上、ＰＵＣＣＨフォーマットグループ数は２とする。一つのＰＵＣＣＨフォーマットグループＧ１は、セミスタティックＦｏｒｍａｔ１ａ／１ｂ（Ａ−３）とダイナミックＦｏｒｍａｔ１ａ／１ｂ（Ａ−２）とＦｏｒｍａｔ３（Ａ−５）から構成される。これにより、ＰＵＣＣＨフォーマットグループＧ１は、ＡＣＫ／ＮＡＣＫのみに対応する。もう一つのＰＵＣＣＨフォーマットグループＧ２は、ＰＵＣＣＨフォーマットグループＧ１に属さないフォーマット（Ａ−１，Ａ−４）から構成される。これにより、ＰＵＣＣＨフォーマットグループＧ２は、ＳＲとＣＱＩに対応する。
【００６４】
また、図３、図４及び図５において、基地局Ａは本実施形態に係る基地局１であって図８のマクロ基地局に対応し、基地局Ｂは図８のピコ基地局に対応し、移動局は本実施形態に係る移動局２である。
【００６５】
移動局には、予め、ＣＱＩ送信に利用するＰＵＣＣＨ Ｆｏｒｍａｔ２リソース、ＡＣＫ／ＮＡＣＫ送信に利用するバーチャルセルＩＤ（Ｖ１）、ＣＱＩ送信に利用するバーチャルセルＩＤ（Ｖ２）、ＴＰＣ−ＰＵＣＣＨ−ＲＮＴＩ（１）、ＴＰＣ−ＰＵＣＣＨ−ＲＮＴＩ（２）、及びＴＰＣ−Ｉｎｄｅｘが設定される。また、移動局には、予め、ＴＰＣ−ＰＵＣＣＨ−ＲＮＴＩ（１）がＰＵＣＣＨフォーマットグループＧ１に対応し、ＴＰＣ−ＰＵＣＣＨ−ＲＮＴＩ（２）がＰＵＣＣＨフォーマットグループＧ２に対応することが設定される。また、移動局には、予め、ＤＬ−Ａｓｓｉｇｎｍｅｎｔ＿ＤＣＩがＰＵＣＣＨフォーマットグループＧ１に対応することが設定される。これらの設定は、基地局Ａから行われてもよく、又は、基地局Ａから基地局Ｂを介して行われてもよい。また、それらの設定は、一度のプロセスで設定されてもよく、又は、複数のシグナリングにより設定されてもよい。
【００６６】
まず図３を参照して、第１の送信方法を用いたＴＰＣコマンド送信によるＰＵＣＣＨフォーマットグループＧ１の送信電力制御方法を説明する。
（ステップＳ１）基地局Ａは移動局に対してＤＬ−Ａｓｓｉｇｎｍｅｎｔ（ＤＬ−Ａｓｓｉｇｎｍｅｎｔ＿ＤＣＩ）を送信する。
【００６７】
（ステップＳ２）基地局Ａは、移動局に対して、ステップＳ１のＤＬ−Ａｓｓｉｇｎｍｅｎｔに従って下りリンクデータ（ＤＬデータ）信号を送信する。
【００６８】
（ステップＳ３）移動局は、ステップＳ１で受信したＤＬ−Ａｓｓｉｇｎｍｅｎｔに従って、ステップＳ２で受信したＤＬデータ信号を復調する。
【００６９】
（ステップＳ４）移動局は、ステップＳ２の復調の結果に応じて、ＡＣＫ／ＮＡＣＫを基地局Ａへ送信する。
【００７０】
（ステップＳ５）基地局Ａは、所望の受信電力値（ターゲット受信電力）と、移動局から受信したＡＣＫ／ＮＡＣＫの受信電力測定値（ＡＣＫ／ＮＡＣＫ受信電力）との差（差分値Ｘ１）を測定する。
【００７１】
（ステップＳ６）基地局Ａは、ステップＳ５で測定した差分値Ｘ１に基づいて、ＰＵＣＣＨフォーマットグループＧ１のＴＰＣコマンドを生成する。そして、基地局Ａは、移動局に対して、ＰＵＣＣＨフォーマットグループＧ１のＴＰＣコマンドを含むＤＬ−Ａｓｓｉｇｎｍｅｎｔ＿ＤＣＩを送信する。
【００７２】
（ステップＳ７）基地局Ａは、移動局に対して、ステップＳ６のＤＬ−Ａｓｓｉｇｎｍｅｎｔに従ってＤＬデータ信号を送信する。
【００７３】
（ステップＳ８）移動局は、ステップＳ６で受信したＤＬ−Ａｓｓｉｇｎｍｅｎｔに従って、ステップＳ７で受信したＤＬデータ信号を復調する。
【００７４】
（ステップＳ９）移動局は、ステップＳ６で受信したＤＬ−Ａｓｓｉｇｎｍｅｎｔ＿ＤＣＩからＴＰＣコマンドを取得する。そして、移動局は、該取得したＴＰＣコマンドに基づいてＰＵＣＣＨフォーマットグループＧ１に属するＰＵＣＣＨフォーマットの送信電力を調整する。これにより、ＡＣＫ／ＮＡＣＫの送信電力が調整される。
【００７５】
（ステップＳ１０）移動局は、ステップＳ８の復調の結果に応じて、ＡＣＫ／ＮＡＣＫを基地局Ａへ送信する。このＡＣＫ／ＮＡＣＫの送信電力にはステップＳ９の調整結果が反映されている。
【００７６】
次に図４を参照して、第２の送信方法を用いたＴＰＣコマンド送信によるＰＵＣＣＨフォーマットグループＧ１の送信電力制御方法を説明する。図４においてステップＳ１からＳ５までは図３と同じである。但し、図４の例では、ステップＳ５の結果によるＴＰＣコマンドの送信タイミングには、移動局に送信するＤＬデータ信号が無い。このため第１の送信方法を使用できないので、基地局Ａは第２の送信方法を用いてＴＰＣコマンドを送信する。
【００７７】
（ステップＳ２０）基地局Ａは、ステップＳ５で測定した差分値Ｘ１に基づいて、ＰＵＣＣＨフォーマットグループＧ１のＴＰＣコマンドを生成する。そして、基地局Ａは、移動局に対して、ＤＣＩフォーマット３／３Ａを用いてＰＵＣＣＨフォーマットグループＧ１のＴＰＣコマンドを送信する。このＤＣＩフォーマット３／３Ａでは、ＰＵＣＣＨフォーマットグループＧ１に対応するＴＰＣ−ＰＵＣＣＨ−ＲＮＴＩ（１）を用いてＣＲＣのマスクが行われる。
【００７８】
（ステップＳ２１）移動局は、ステップＳ２０で受信したＤＣＩフォーマット３／３Ａから、ＴＰＣ−ＰＵＣＣＨ−ＲＮＴＩ（１）を用いてＴＰＣコマンドを取得する。そして、移動局は、該取得したＴＰＣコマンドに基づいてＰＵＣＣＨフォーマットグループＧ１に属するＰＵＣＣＨフォーマットの送信電力を調整する。これにより、ＡＣＫ／ＮＡＣＫの送信電力が調整される。
【００７９】
次に図５を参照して、第２の送信方法を用いたＴＰＣコマンド送信によるＰＵＣＣＨフォーマットグループＧ２の送信電力制御方法を説明する。
【００８０】
（ステップＳ３０）移動局は、基地局Ｂに対して、ＰＵＣＣＨ Ｆｏｒｍａｔ２によりＣＱＩを送信する。
【００８１】
（ステップＳ３１）基地局Ｂのアンテナで受信されたＣＱＩは基地局Ａへ伝送される。
【００８２】
（ステップＳ３２）基地局Ａは、所望の受信電力値（ターゲット受信電力）と、基地局Ｂから伝送されたＣＱＩの受信電力測定値（ＣＱＩ受信電力）との差（差分値Ｘ２）を測定する。
【００８３】
（ステップＳ３３）基地局Ａは、ステップＳ３２で測定した差分値Ｘ２に基づいて、ＰＵＣＣＨフォーマットグループＧ２のＴＰＣコマンドを生成する。そして、基地局Ａは、移動局に対して、ＤＣＩフォーマット３／３Ａを用いてＰＵＣＣＨフォーマットグループＧ２のＴＰＣコマンドを送信する。このＤＣＩフォーマット３／３Ａでは、ＰＵＣＣＨフォーマットグループＧ２に対応するＴＰＣ−ＰＵＣＣＨ−ＲＮＴＩ（２）を用いてＣＲＣのマスクが行われる。
【００８４】
（ステップＳ３４）移動局は、ステップＳ２０で受信したＤＣＩフォーマット３／３Ａから、ＴＰＣ−ＰＵＣＣＨ−ＲＮＴＩ（２）を用いてＴＰＣコマンドを取得する。そして、移動局は、該取得したＴＰＣコマンドに基づいてＰＵＣＣＨフォーマットグループＧ２に属するＰＵＣＣＨフォーマットの送信電力を調整する。これにより、ＣＱＩの送信電力が調整される。
【００８５】
本実施例１によれば、ＤＬ−Ａｓｓｉｇｎｍｅｎｔ＿ＤＣＩによるＴＰＣコマンドの送信方法（第１の送信方法）を一つのＰＵＣＣＨフォーマットグループのみに適用し、他のＰＵＣＣＨフォーマットグループにはＤＣＩフォーマット３／３ＡによるＴＰＣコマンドの送信方法（第２の送信方法）を適用している。これにより、複数のＰＵＣＣＨフォーマットグループに対して異なるＴＰＣコマンドを送信することができる。この結果として、ＰＵＣＣＨフォーマットの種類に応じて送信電力制御を行うことができる。
【００８６】
また、ＤＬ−Ａｓｓｉｇｎｍｅｎｔ＿ＤＣＩによるＴＰＣコマンドの適用範囲を一つのＰＵＣＣＨフォーマットグループのみに限定しているので、ＤＬ−Ａｓｓｉｇｎｍｅｎｔ＿ＤＣＩの構成は変更する必要が無い。
【実施例２】
【００８７】
実施例２では、基地局１から移動局２へＴＰＣコマンドを送信する方法としてＤＣＩフォーマット３／３ＡによるＴＰＣコマンドの送信方法（第２の送信方法）のみを使用する。第２の送信方法は、上述した実施例１と同じである。
【００８８】
具体的には、例えば上述した図４および図５の例と同様に、ＰＵＣＣＨフォーマットグループＧ１に対してはＴＰＣ−ＰＵＣＣＨ−ＲＮＴＩ（１）を用いてＤＣＩフォーマット３／３ＡのＣＲＣのマスクを行い、ＰＵＣＣＨフォーマットグループＧ２に対してはＴＰＣ−ＰＵＣＣＨ−ＲＮＴＩ（２）を用いてＤＣＩフォーマット３／３ＡのＣＲＣのマスクを行う。
【００８９】
本実施例２によれば、ＤＣＩフォーマット３／３ＡによるＴＰＣコマンドの送信方法（第２の送信方法）のみにより、複数のＰＵＣＣＨフォーマットグループに対して異なるＴＰＣコマンドを送信することができる。この結果として、ＰＵＣＣＨフォーマットの種類に応じて送信電力制御を行うことができる。
【実施例３】
【００９０】
実施例３では、基地局１から移動局２へＴＰＣコマンドを送信する方法としてＤＣＩフォーマット３／３ＡによるＴＰＣコマンドの送信方法（第３の送信方法）のみを使用する。この第３の送信方法では、ＴＰＣ−ＰＵＣＣＨ−ＲＮＴＩを拡張した第２の送信方法とは異なり、ＴＰＣ−ｉｎｄｅｘを拡張するこれにより、ＤＣＩフォーマット３／３Ａを用いて複数のＰＵＣＣＨフォーマットグループに係るＴＰＣコマンドを送信する。
【００９１】
各移動局２には、それぞれＰＵＣＣＨフォーマットグループ数分のＴＰＣ−ｉｎｄｅｘが与えられる。これにより、移動局２は、自分に与えられたＴＰＣ−ｉｎｄｅｘのうち、いずれか一致するＴＰＣ−ｉｎｄｅｘを利用して、復調後のＤＣＩフォーマット３／３Ａの中から、自局宛てのＴＰＣコマンドを取得する。そして、移動局２は、その取得したＴＰＣコマンドを、該取得に使用したＴＰＣ−ｉｎｄｅｘに対応するＰＵＣＣＨフォーマットグループに使用する。
【００９２】
次に、図６及び図７を参照して実施例３に係る送信電力制御方法を説明する。図６及び図７は、本発明の実施例３に係る送信電力制御方法を示すシーケンスチャートである。図６において、図４の各ステップと同じ部分には同一の符号を付している。また、図７において、図５の各ステップと同じ部分には同一の符号を付している。
【００９３】
ここでは、実施例１と同様に、二つのＰＵＣＣＨフォーマットグループＧ１，Ｇ２を設ける。移動局には、予め、ＴＰＣ−ＰＵＣＣＨ−ＲＮＴＩ、ＴＰＣ−Ｉｎｄｅｘ（１）およびＴＰＣ−Ｉｎｄｅｘ（２）が設定される。また、移動局には、予め、ＴＰＣ−Ｉｎｄｅｘ（１）がＰＵＣＣＨフォーマットグループＧ１に対応し、ＴＰＣ−Ｉｎｄｅｘ（２）がＰＵＣＣＨフォーマットグループＧ２に対応することが設定される。
【００９４】
まず図６を参照して、第３の送信方法を用いたＴＰＣコマンド送信によるＰＵＣＣＨフォーマットグループＧ１の送信電力制御方法を説明する。図６においてステップＳ１からＳ５までは図４と同じである。
【００９５】
（ステップＳ４０）基地局Ａは、ステップＳ５で測定した差分値Ｘ１に基づいて、ＰＵＣＣＨフォーマットグループＧ１のＴＰＣコマンドを生成する。そして、基地局Ａは、移動局に対して、ＤＣＩフォーマット３／３Ａを用いてＰＵＣＣＨフォーマットグループＧ１のＴＰＣコマンドを送信する。このＤＣＩフォーマット３／３Ａには、ＰＵＣＣＨフォーマットグループＧ１に対応するＴＰＣ−Ｉｎｄｅｘ（１）が付与される。
【００９６】
（ステップＳ４１）移動局は、ステップＳ４０で受信したＤＣＩフォーマット３／３Ａから、ＴＰＣ−Ｉｎｄｅｘ（１）を用いてＴＰＣコマンドを取得する。そして、移動局は、該取得したＴＰＣコマンドに基づいてＰＵＣＣＨフォーマットグループＧ１に属するＰＵＣＣＨフォーマットの送信電力を調整する。これにより、ＡＣＫ／ＮＡＣＫの送信電力が調整される。
【００９７】
次に図７を参照して、第３の送信方法を用いたＴＰＣコマンド送信によるＰＵＣＣＨフォーマットグループＧ２の送信電力制御方法を説明する。図７においてステップＳ３０からＳ３２までは図５と同じである。
【００９８】
（ステップＳ５０）基地局Ａは、ステップＳ３２で測定した差分値Ｘ２に基づいて、ＰＵＣＣＨフォーマットグループＧ２のＴＰＣコマンドを生成する。そして、基地局Ａは、移動局に対して、ＤＣＩフォーマット３／３Ａを用いてＰＵＣＣＨフォーマットグループＧ２のＴＰＣコマンドを送信する。このＤＣＩフォーマット３／３Ａには、ＰＵＣＣＨフォーマットグループＧ２に対応するＴＰＣ−Ｉｎｄｅｘ（２）が付与される。
【００９９】
（ステップＳ５１）移動局は、ステップＳ５０で受信したＤＣＩフォーマット３／３Ａから、ＴＰＣ−Ｉｎｄｅｘ（２）を用いてＴＰＣコマンドを取得する。そして、移動局は、該取得したＴＰＣコマンドに基づいてＰＵＣＣＨフォーマットグループＧ２に属するＰＵＣＣＨフォーマットの送信電力を調整する。これにより、ＣＱＩの送信電力が調整される。
【０１００】
本実施例３によれば、ＤＣＩフォーマット３／３ＡによるＴＰＣコマンドの送信方法（第３の送信方法）のみにより、複数のＰＵＣＣＨフォーマットグループに対して異なるＴＰＣコマンドを送信することができる。この結果として、ＰＵＣＣＨフォーマットの種類に応じて送信電力制御を行うことができる。
【０１０１】
以上、本発明の実施形態について図面を参照して詳述してきたが、具体的な構成はこの実施形態に限られるものではなく、本発明の要旨を逸脱しない範囲の設計変更等も含まれる。
【０１０２】
例えば、上述した第１、第２、第３の送信方法は任意に組合せ可能である。上述した実施例の組合せ以外に、第１の送信方法と第３の送信方法を組み合わせてもよく、又は、第２の送信方法と第３の送信方法を組み合わせてもよく、又は、第１の送信方法と第２の送信方法と第３の送信方法を組み合わせてもよい。
【０１０３】
また、上述した実施形態では、ＤＬ−Ａｓｓｉｇｎｍｅｎｔ＿ＤＣＩを一つのＰＵＣＣＨフォーマットグループのみに利用したが、ＤＬ−Ａｓｓｉｇｎｍｅｎｔ＿ＤＣＩが有するＴＰＣコマンド用のビットを増やすことができれば、ＤＬ−Ａｓｓｉｇｎｍｅｎｔ＿ＤＣＩによって複数のＰＵＣＣＨフォーマットグループに係るＴＰＣコマンドを送信することも可能である。
【０１０４】
また、上述した実施形態では、図８におけるマクロ基地局に本発明を適用したが、本発明はピコ基地局にも適用可能である。また、ＣｏＭＰ環境において複数のマクロ基地局及びピコ基地局を統合する基地局、もしくはそれに準ずるベースバンド処理装置に対しても適用可能である。
【０１０５】
また、上述した各実施例ではＰＵＣＣＨフォーマットグループを二つとして説明したが、ＰＵＣＣＨフォーマットグループが３つ以上の場合、つまり受信地点が３つ以上ある場合についても同様に適用できる。
【０１０６】
また、各ＰＵＣＣＨフォーマットグループに属するＰＵＣＣＨフォーマットは、任意であり、様々なＰＵＣＣＨフォーマットの組み合わせに対応することができる。また、ＰＵＣＣＨフォーマットグループの構成は固定であってもよく、又は、動的に変更するようにしてもよい。例えば、基地局から移動局に対して、ＰＵＣＣＨフォーマットグループの構成を通知することが挙げられる。
【０１０７】
また、ＰＵＣＣＨフォーマットグループはＰＵＣＣＨフォーマットごとに適用するバーチャルセルＩＤと一致させることも可能である。これにより、基地局から移動局に対するシグナリングを削減させることができる。
【０１０８】
また、上述した実施形態ではＰＵＣＣＨフォーマットグループを構成したが、ＰＵＣＣＨフォーマットグループは必須ではない。送信電力を制御する対象である複数の種類の信号と、送信電力制御値を示す情報を送信する複数の送信方法とを対応付けるようにしてもよい。例えば、ＴＰＣコマンドの複数の送信方法の中から、送信する信号の種類ごとに、それぞれＴＰＣコマンドの送信方法を対応付けるようにしてもよい。
【０１０９】
なお、本発明は、ＬＴＥに限定されず、各種の無線通信システムに適用可能である。また、送信電力制御値を示す情報を送信する複数の送信方法を有することができる無線通信システムであればよく、その送信方法は任意の構成でよい。また、基地局装置と移動局装置間で送受する任意の信号（上りリンク信号でも下りリンク信号でもよい）の送信電力を制御する場合にも適用可能である。また、基地局装置や移動局装置に限定されず、各種の無線通信装置間で送受する信号の送信電力を制御する場合にも適用可能である。
【０１１０】
また、図４、図５、図６又は図７に示す各ステップを実現するためのプログラムをコンピュータ読み取り可能な記録媒体に記録して、この記録媒体に記録されたプログラムをコンピュータシステムに読み込ませ、実行することにより、送信電力制御処理を行ってもよい。なお、ここでいう「コンピュータシステム」とは、ＯＳや周辺機器等のハードウェアを含むものであってもよい。
また、「コンピュータ読み取り可能な記録媒体」とは、フレキシブルディスク、光磁気ディスク、ＲＯＭ、フラッシュメモリ等の書き込み可能な不揮発性メモリ、ＤＶＤ（Digital Versatile Disk）等の可搬媒体、コンピュータシステムに内蔵されるハードディスク等の記憶装置のことをいう。
【０１１１】
さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Dynamic Random Access Memory））のように、一定時間プログラムを保持しているものも含むものとする。
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【符号の説明】
【０１１２】
１…基地局装置（基地局）、２…移動局装置（移動局）、５００…無線受信部、５０１…データ復調部、５０２…ＰＵＣＣＨ受信電力測定部、５０３…受信電力差分計算部、５０４…ＴＰＣコマンド生成部、５０５…ＤＣＩフォーマット生成部、５０６…信号多重部、５０７…無線送信部、５０８…マクロ基地局アンテナ、６００…無線受信部、６０１…ＤＣＩ受信部、６０２…データ復調部、６０３…ＴＰＣコマンド取得部、６０４…送信電力調整部、６０５…送信電力適用部、６０６…ＰＵＣＣＨ系列生成部、６０７…無線送信部、６０８…アンテナ
【図１】
2014027412.tif 000006
【図２】
2014027412.tif 000007
【図３】
2014027412.tif 000008
【図４】
2014027412.tif 000009
【図５】
2014027412.tif 000010
【図６】
2014027412.tif 000011
【図７】
2014027412.tif 000012
【図８】
2014027412.tif 000013